(57)【要約】【課題】生産工程において、ユーザ調整モードとは異なる別調整モードで複数の調整値を設定するに際し、短時間で正確に調整値を設定することが可能な電子機器を提供する。【解決手段】電子機器を制御するための調整値を設定する設定手段を備える。この設定手段は、ユーザに調整値を設定させるユーザ調整モード、及びユーザ調整モードとは異なる他の調整モードでの設定を可能とする。他の調整モードであるときに、ユーザ調整モードとは異なることを視認させるための識別情報を、表示部１３に表示するよう制御する表示制御手段を備える。さらに、この表示制御手段は、他の調整モードであるときに、設定の状態（例えば完了／未完了の状態）に応じて、識別情報の表示を異ならしめる。【選択図】図１
2006217493.tif 000002
【特許請求の範囲】
【請求項１】
表示装置を備えた電子機器であって、当該電子機器を制御するための調整値を設定する設定手段を備え、該設定手段は、ユーザに調整値を設定させるユーザ調整モード、及び該ユーザ調整モードとは異なる他の調整モードでの設定を可能とし、該他の調整モードであるときに、前記ユーザ調整モードとは異なることを視認させるための識別情報を、前記表示装置に表示するよう制御する表示制御手段を有し、該表示制御手段は、前記他の調整モードであるときに、設定の状態に応じて、前記識別情報の表示を異ならしめることを特徴とする電子機器。
【請求項２】
表示装置を備えた電子機器であって、当該電子機器を制御するための調整値を設定する設定手段を備え、該設定手段は、ユーザに調整値を設定させるユーザ調整モード、及び該ユーザ調整モードとは異なる他の調整モードでの設定を可能とし、該他の調整モードであるときに、前記ユーザ調整モードとは異なることを視認させるための識別情報を、前記表示装置に表示するよう制御する表示制御手段と、前記他の調整モードであるときに、設定の状態に応じて、設定項目を異ならしめて前記表示装置に表示するよう制御する項目表示制御手段とを有することを特徴とする電子機器。
【請求項３】
前記設定手段は、前記他の調整モードにおける設定の状態を判別する状態判別手段を有することを特徴とする請求項１又は２に記載の電子機器。
【請求項４】
当該電子機器は、前記表示装置に映像を表示するテレビジョン受像機であることを特徴とする請求項１乃至３のいずれか１項に記載の電子機器。
【請求項５】
表示装置を備えた電子機器に対し、該電子機器を制御するための調整値を設定する調整値設定方法であって、前記電子機器を制御するための調整値を、ユーザに調整値を設定させるユーザ調整モード、及び該ユーザ調整モードとは異なる他の調整モードのいずれかの調整モードで設定するステップと、前記他の調整モードであるときに、前記ユーザ調整モードとは異なることを視認させるための識別情報を、前記表示装置に表示するステップと、前記他の調整モードであるときに、設定の状態を視認させるように前記表示装置に表示するステップとを含むことを特徴とする調整値設定方法。
【請求項６】
表示装置を備えた電子機器に組み込み、該電子機器の中央演算処理装置に実行させるためのプログラムであって、前記電子機器を制御するための調整値を、ユーザに調整値を設定させるユーザ調整モード、及び該ユーザ調整モードとは異なる他の調整モードのいずれかの調整モードで設定するステップと、前記他の調整モードであるときに、前記ユーザ調整モードとは異なることを視認させるための識別情報を、前記表示装置に表示するステップと、前記他の調整モードであるときに、設定の状態を視認させるように前記表示装置に表示するステップとを、前記中央演算処理装置に実行させることを特徴とするプログラム。
【請求項７】
請求項６に記載のプログラムを記録したコンピュータ読み取り可能な記録媒体。
【発明の詳細な説明】
【技術分野】
【０００１】
本発明は、電子機器、調整値設定方法、プログラム、及び記録媒体に関し、より詳細には、表示装置を有する電子機器、その電子機器における調整値設定方法、調整値設定用のプログラム、及びそのプログラムを記録したコンピュータ読み取り可能な記録媒体に関する。
【背景技術】
【０００２】
従来から、テレビジョン受像機をはじめ、表示装置を有する各種電子機器においては、その制御用の調整値を、ユーザが製品を使用する際に最適な値とするために、出荷前に表示機器を利用して設定することがなされている。このような出荷前の調整工程の他に、ユーザが製品の使用時に好みで調整を行うことも通常可能となっており、ユーザが好みに合わせて行う調整はユーザ調整モードで実行され、一方で出荷前の調整工程はこのユーザ調整モードとは異なる他の調整モードで実行されている。ユーザ調整モードと他の調整モードで設定可能な調整値は、その対象が全く別の調整項目に対するものや、重複する調整項目に対するものもある。後者の調整項目では、例えば、基本的に他の調整モードで設定された調整値がユーザ調整モードで設定された調整値により補正され、それにより電子機器が制御されることとなる。
【０００３】
このように、表示装置を有する電子機器のうち、ユーザ調整モードと他の調整モードとの複数の調整モードでの調整が実行可能な機器に対しては、いずれの調整モードであるのかを識別する必要がある。勿論、このような電子機器では、通常、ユーザが調整値を他の調整モードで設定できない構成となっており、調整モードの識別を行う必要があるのは、出荷前の調整工程時に調整を行う調整者が主となる。
【０００４】
このような調整モードの識別を容易に行うことを目的としたテレビジョン受像機が提案されている（例えば、特許文献１を参照）。特許文献１に記載のテレビジョン受像機は、調整モードの確定を簡単に行えるようにするために、ユーザが調整できるユーザ調整モードとは異なるサービスモード等のモードにある時には、画面上にその旨を認識できるような画面表示処理（例えば「サービス」という文字の表示処理）を行う。
【０００５】
また、電子機器の一例として今日の表示機器の生産管理工程時に用いられる、ユーザ調整モードとは別の調整モード（サービスモード，生産工程モード等）においては、同じ製品の表示素子の性能等にバラツキが生じないようにするために、複数の各種調整項目を調整値として用意し、生産時に生産スタッフ（調整者）が各項目の調整を手動で行ったり、或いは、生産スタッフの指示操作等によって表示機器自身で自動的に最適化調整を行うことが多い。なお、各種調整項目としては、例えば、「色調調整」や「コントラスト調整」、或いは液晶表示装置においては「コモン電圧調整」（これは、画面上のフリッカを抑制するために液晶表示素子等には常に用いられる調整値である。）など、様々な調整項目が挙げられる。
【０００６】
すなわち、今日の表示機器の生産工程では、生産スタッフが調整済みの各種項目の調整値を例えば画面上で目視しながら確認し、最適な調整値へ手動又は自動で調整処理を行う。その結果、最適な映像表示状態を保持して、市場でユーザの意図しない調整によってこれらの調整値が書き換えられる心配もなく、同一製品における製品間の性能バラツキを抑制することが可能になる。
【特許文献１】特開昭６１−９６８８０号公報
【発明の開示】
【発明が解決しようとする課題】
【０００７】
しかしながら、特許文献１に記載の技術をはじめとする従来技術では、単に画面上に調整モード等で調整された結果を反映して画面上に調整値等を表示処理するだけに留まるだけでなく、生産スタッフにより調整された調整値が、意図に反し同じ或いは別の生産スタッフによる新たな操作によって容易に変更されてしまうこともある。従って、従来技術においては、調整した結果が適当な値か否かを判別するのは、実際にその処理を実行した結果を確認する以外に方法はない。
【０００８】
例えば、上述のごとき表示機器では、調整した結果が適当な値か否かを判別するのは、表示された画像信号を目視する以外に方法はない。すなわち、例えば生産スタッフが生産工程上である製品を調整操作を完了して、その後、別な作業を片手間で行った後に、再度その製品の画面を中止したときに、その調整結果が既に調整されたものか若しくは未だ未調整なものかを判別することができず、生産スタッフは再確認のために画面上の映像信号を再度目視しながら調整を行う場合もあり、また、未調整だった製品を調整済みと誤って判断して製品を次の工程に送ってしまうという問題点もある。更に、調整モードの調整項目によっては画面上の画像信号等ではその最適値を判断することが不可能な場合もあり、この場合は上記の問題を顕著に反映してしまう結果となる怖れがある。
【０００９】
つまり、ユーザ調整モードとは異なる他の調整モード（しばしば、別調整モードという）における各種調整項目は、その項目数が多ければその分、各項目が本当に調整されていたかが容易に調整者には判らないため、再調整をせざるを得ないので、その分の作業が増える。勿論、初期値と違っていれば調整済という判断もできるが、間違えた調整でも値が変わることがあるため、判断方法が曖昧になる。
【００１０】
更に、ユーザ調整モードの他に生産ライン等で調整する項目を持つ別調整モードを有し、且つその別調整モードが複数の調整項目を有している電子機器の生産工程時においては、複数の調整項目は生産ラインの構成によりそれぞれ別の場所で調整されることとなるため、生産ラインの最終工程で全ての調整が完了しているか否かの判断は、その別調整モードにて調整値が初期値はないことを確認するか、又は映像を確認し基準の映像になっているかを目視で確認するなど、曖昧な確認方法を採用せざるを得ない。
【００１１】
更に、工場で調整する項目を持つ別調整モードでの調整が完了しているか否かは、調整が影響する映像を入力し、その映像を目視して確認する方法がある。これは熟練者を必要とする。その調整値が初期値ではないことを確認する別の方法として、生産スタッフが初期値を事前に記憶しておき調整されているか否かを判断する方法がある。しかし、確認する項目数が多くなると、確認するためにかかる時間は増大する。
【００１２】
本発明は、上述のごとき実情に鑑みてなされたものであり、生産工程において、ユーザ調整モードとは異なる別調整モードで複数の調整値を設定するに際し、短時間で正確に調整値を設定することが可能な、テレビジョン受像機等の電子機器、該電子機器における調整値設定方法、調整値設定用のプログラム、及びそのプログラムを記録したコンピュータ読み取り可能な記録媒体を提供することをその目的とする。
【課題を解決するための手段】
【００１３】
本発明は、上述のごとき課題を解決するために、以下の各技術手段でそれぞれ構成される。
【００１４】
第１の技術手段は、表示装置を備えた電子機器であって、当該電子機器を制御するための調整値を設定する設定手段を備え、該設定手段は、ユーザに調整値を設定させるユーザ調整モード、及び該ユーザ調整モードとは異なる他の調整モードでの設定を可能とし、該他の調整モードであるときに、前記ユーザ調整モードとは異なることを視認させるための識別情報を、前記表示装置に表示するよう制御する表示制御手段を有し、該表示制御手段は、前記他の調整モードであるときに、設定の状態に応じて、前記識別情報の表示を異ならしめることを特徴としたものである。
【００１５】
第２の技術手段は、表示装置を備えた電子機器であって、当該電子機器を制御するための調整値を設定する設定手段を備え、該設定手段は、ユーザに調整値を設定させるユーザ調整モード、及び該ユーザ調整モードとは異なる他の調整モードでの設定を可能とし、該他の調整モードであるときに、前記ユーザ調整モードとは異なることを視認させるための識別情報を、前記表示装置に表示するよう制御する表示制御手段と、前記他の調整モードであるときに、設定の状態に応じて、設定項目を異ならしめて前記表示装置に表示するよう制御する項目表示制御手段とを有することを特徴としたものである。
【００１６】
第３の技術手段は、第１又は第２の技術手段において、前記設定手段は、前記他の調整モードにおける設定の状態を判別する状態判別手段を有することを特徴としたものである。
【００１７】
第４の技術手段は、第１乃至第３のいずれかの技術手段において、当該電子機器は、前記表示装置に映像を表示するテレビジョン受像機であることを特徴ととしたものである。
【００１８】
第５の技術手段は、表示装置を備えた電子機器に対し、該電子機器を制御するための調整値を設定する調整値設定方法であって、前記電子機器を制御するための調整値を、ユーザに調整値を設定させるユーザ調整モード、及び該ユーザ調整モードとは異なる他の調整モードのいずれかの調整モードで設定するステップと、前記他の調整モードであるときに、前記ユーザ調整モードとは異なることを視認させるための識別情報を、前記表示装置に表示するステップと、前記他の調整モードであるときに、設定の状態を視認させるように前記表示装置に表示するステップとを含むことを特徴としたものである。
【００１９】
第６の技術手段は、表示装置を備えた電子機器に組み込み、該電子機器の中央演算処理装置に実行させるためのプログラムであって、前記電子機器を制御するための調整値を、ユーザに調整値を設定させるユーザ調整モード、及び該ユーザ調整モードとは異なる他の調整モードのいずれかの調整モードで設定するステップと、前記他の調整モードであるときに、前記ユーザ調整モードとは異なることを視認させるための識別情報を、前記表示装置に表示するステップと、前記他の調整モードであるときに、設定の状態を視認させるように前記表示装置に表示するステップとを、前記中央演算処理装置に実行させることを特徴としたものである。
【００２０】
第７の技術手段は、第６の技術手段におけるプログラムを記録したコンピュータ読み取り可能な記録媒体である。
【発明の効果】
【００２１】
本発明によれば、生産工程において、ユーザ調整モードとは異なる別調整モードで複数の調整値を設定するに際し、短時間で正確に調整値を設定することが可能になる。
【発明を実施するための最良の形態】
【００２２】
図１は、本発明の一実施形態に係る電子機器の一構成例を示す図で、図中、１は電子機器、１１は処理回路、１２は操作部、１３は表示部、１４，１６は不揮発性メモリ、１５はマイクロコンピュータ（以下、マイコンという）、１７はバスである。
【００２３】
図１で例示する電子機器１は、電子機器１における目的の処理を行うための処理回路１１と、処理回路１１での処理をユーザが指示するための操作、並びに本発明に係る調整値の設定操作を行うための操作部１２と、表示装置などで構成され設定操作を補助するために設定項目及びその内容などを表示する表示部１３とを備え、さらに、これらの各部の制御（表示部１３への表示制御も含む）をするマイコン１５がバス１７で接続されている。
【００２４】
また、マイコン１５には、本発明に係る調整値設定用プログラムや処理回路１１での処理用プログラムを含むプログラムを格納するためのＲＯＭ（Ｒｅａｄ  Ｏｎｌｙ  Ｍｅｍｏｒｙ）等の不揮発性メモリ１６と、調整値を保存するための不揮発性メモリ１４とが接続され、マイコン１５の内部にはＣＰＵ（Ｃｅｎｔｒａｌ  Ｐｒｏｃｅｓｓｉｎｇ  Ｕｎｉｔ），ＭＰＵ（ＭＩｃｒｏ  Ｐｒｏｃｅｓｓｉｎｇ  Ｕｎｉｔ）等の中央演算処理装置とプログラムの実行領域となるＲＡＭ等の揮発性メモリとが設けられている。
【００２５】
また、本発明に適用可能な電子機器としては、ユーザ調整モードと他の調整モードとにより調整値の設定が可能で、各調整モードでの設定を調整者に視認させながら行うための表示装置を備えていればよい。例えば、後述するテレビジョン受像機や各種レコーダ等のオーディオビジュアル機器をはじめ、あらゆる技術分野の機器に、本発明は適用可能である。従って、本発明に係る電子機器１は、電子機器１を制御するための調整値を設定する設定手段を備えるものとする。そして、この設定手段が、ユーザに調整値を設定させるユーザ調整モード、及びユーザ調整モードとは異なる他の調整モードでの設定を可能とするものであればよい。この設定手段は、図１の例では、マイコン１５で実行可能な設定プログラムとして不揮発性メモリ１６に格納し、マイコン１５内の中央演算処理装置に実行させることで実装できる。また、後述する項目表示制御手段も同様の表示プログラムにより実装可能である。
【００２６】
本発明の主たる特徴として、次の表示制御手段を備えるものとする。この表示制御手段は、他の調整モードであるときに、ユーザ調整モードとは異なることを視認させるための識別情報を、表示装置（表示部１３）に表示するよう制御する。識別情報としては、他の調整モードであることを示す情報であればよく、以下、より単純な例として識別マークを表示させるような制御を行う例のみを説明する。それに伴い、表示制御手段をマーク表示手段と称して説明する。
【００２７】
そして、このマーク表示手段は、他の調整モードであるときに、設定の完了／未完了の状態や設定処理の進捗状況など、設定の状態に応じて、識別マークの表示を異ならしめる。以下、設定の状態として、設定の完了／未完了の状態を例に挙げて説明する。例えば、設定の完了／未完了に応じて、識別マークの色を変化させる、或いは、識別マークの字体や大きさや濃度などを変化させる、さらには識別マーク自体のマークを別のものとするなどの手法が挙げられる。
【００２８】
また、設定の完了／未完了の状態を表示部１３で表示するために、マーク表示手段とは別に項目表示制御手段を次のように構成してもよい。すなわち、項目表示制御手段は設定時に調整項目を表示部１３に表示するよう制御する手段であり、画面上に調整値設定メニューを表示させるためなど、上述の実施形態にも基本的に必要となる手段であるが、その項目表示制御の際に、他の調整モードであるときに、設定の完了／未完了の状態に応じて、設定項目を異ならしめて表示部１３に表示するように制御する。ここでも、例えば、設定の完了／未完了に応じて、設定項目の色を変化させる、或いは、設定項目の字体や大きさや濃度などを変化させる、さらには設定項目の近辺にその状態を表示させるなどの手法が挙げられる。
【００２９】
また、設定の完了／未完了の状態を表示する際には、その状態を判定しなければならず、勿論、調整者が設定の都度、状態の入力（変更）を行ってもよいが、実際には調整状態を自動的に書き換えるような構成とすることが好ましい。従って、上述の設定手段は、他の調整モードにおける設定が完了した状態を判別する状態判別手段を有することが好ましい。
【００３０】
図２は、図１の電子機器における調整値設定処理の一例を説明するためのフロー図で、図３は、図２の調整値設定処理における調整値の設定を補助するための表示処理の一例を説明するためのフロー図である。
【００３１】
上述のごとき構成により、生産ラインで調整者によってマイコン１５が他の部を制御することで実行する調整値設定処理は、まず、調整者が操作部１２で調整モードを選択したり、自動的に検査工程において調整モードに移行することで開始される。マイコン１５は、調整モードであると判定した場合（ステップＳ１でＹＥＳ）、識別マークを表示部１３に表示させると共に、設定項目（調整項目）の選択肢を表示部１３に表示させ、調整者に操作部１２で選択させる（ステップＳ２）。ここで、調整ｉが選択された場合、調整ｉを実施し（ステップＳ３）、その項目の調整が完了すると（ステップＳ４）、調整ｉの調整済みフラグを不揮発性メモリ１４に記録する（ステップＳ５）。そして、他に調整する項目があるかの判断を行い（ステップＳ６）、なければ処理を終了する。一方、調整者が他の調整を必要とする場合には操作部１２からその指示を行い、マイコン１５はその指示に基づき、ステップＳ２に戻り、同様の処理を調整したい項目がなくなるまで繰り返す。
【００３２】
また、ステップＳ２において、表示部１３に識別マークを表示するに際し、或いは表示部１３に調整項目の選択肢を表示するに際し、マイコン１５は、その調整項目に対する設定の完了／未完了の状態を表示部１３に表示させる制御を行う。
【００３３】
ここで、識別マークで完了／未完了の状態を調整者に視認させるためには、現在表示している調整項目全てに対して行うか、或いは現在表示していないものも含めた調整項目全体に対して行うこととなる。いずれの場合にも、１つの識別マークが１つの調整項目に対応している表示を行う場合には、その調整項目に対して、完了の状態と未完了の状態とを識別可能に表示すればよいが、１つの識別マークが複数の調整項目に対応している表示を行う場合には、対応する全ての調整項目に対して、全ての調整項目が完了している状態なのか、いくつかの調整項目だけ完了している状態なのか、全ての調整項目が完了していない状態なのか、の少なくとも３パターンで識別マークの表示状態を変更させるとよい。一方、項目表示制御手段により、調整項目の選択肢のそれぞれに対してその状態を表示させる場合には、通常、完了の状態と未完了の状態をそれぞれの調整項目に対して表示できればよい。
【００３４】
ここで、上述した状態の表示を行うに際して実行される、状態を判別する状態判別手段の処理について、図３を併せて参照して説明する。なお、説明の簡略化のため、ここでは調整項目全てに対する設定状態を併せて一つの識別マークで表示する例のみを説明する。
【００３５】
まず、マイコン１５は生産モード（すなわち他の調整モード）であるか否かを判定し（ステップＳ１１）、生産モードであった場合のみ、以降の処理を実行する。ステップＳ１１の後、マイコン１５は、調整済みフラグを不揮発性メモリ１４から読み出し（ステップＳ１２）、フラグ全て未調整であった場合には識別マークの表示色を赤に、フラグ全て調整済みであった場合には識別マークの表示色を緑に、それ以外の場合には識別マークの表示色を黄に決定する（ステップＳ１３）。そして、マイコン１５は、表示部１３の画面内に、その状態を表示する識別マークを、ステップＳ１３で決定した表示色に従って表示させる制御を行う。
【００３６】
以上、本発明によれば、その電子機器が生産工程モードであることを生産スタッフが容易に認識できると同時に、その検査時における複数の調整項目の完了／未完了の状態を画面上で容易に生産スタッフが確認でき、その結果、生産における調整作業の進捗状況を容易に確認することができる。さらに、生産上、調整途中の製品がエラー処理等の要因によって生産ラインの流れから外れた場合、どこから生産工程に戻してよいかわからない時に、生産スタッフが容易に再投入の工程位置を認識できるので、修理等を行った製品に対する工程数を必要最低限の数で済ますことができ、作業効率が向上する。このように、本発明によれば、生産効率を向上させること及び不正な調整値のまま出荷されることを防止することが可能になり、生産工程において、ユーザ調整モードとは異なる別調整モードで複数の調整値を設定するに際し、短時間で正確に調整値を設定することが可能になる。
【００３７】
次に、上述した電子機器として、テレビジョン受像機を例に挙げて具体的に説明する。このテレビジョン受像機は、図１の表示部１３に相当する表示装置に映像を表示するものであり、主としてその表示装置の出力映像の調整を行うに際し、生産モードでその表示装置自身の画面上に調整値設定メニューを表示させるなどして行うものとする。
【００３８】
図４は、本発明の一実施形態に係るテレビジョン受像機の一構成例を示す図で、図中、２はテレビジョン受像機、２１はチューナ、２２は外部入力端子、２３はセレクタ、２４はデコーダ、２５は映像処理回路、２６は液晶パネル、２７，２９は不揮発性メモリ、２８はマイコン、３０は受光部、３１はバス、３２はリモートコントローラ（以下、リモコン送信機という）である。
【００３９】
図４で例示するテレビジョン受像機２は、アンテナで受信した放送信号を変調するチューナ２１と、外部機器からの映像信号及び音声信号を入力する外部入力端子２２と、チューナ２１や外部入力端子２２などで入力されている信号を選択するためのセレクタ２３と、セレクタ２３で選択された映像信号をデジタル処理するためにアナログ信号をデジタル信号に変換するデコーダ２４と、デコーダ２４でデジタル変換された映像を補正するための映像処理回路２５と、映像処理回路２５で補正された映像を表示するための液晶パネル２６とを備え、さらに、これらの各デバイスの制御やＯＳＤ（Ｏｎ  Ｓｃｒｅｅｎ  Ｄｉｓｐｌａｙ）表示制御をするマイコン２８が接続されている。
【００４０】
また、マイコン２８には、本発明に係る調整値設定用プログラムや処理回路１１での処理用プログラムを含むプログラムを格納するためのＲＯＭ等の不揮発性メモリ２９と調整値を保存するための不揮発性メモリ２７とが接続され、マイコン２８の内部にはＣＰＵ，ＭＰＵ等の中央演算処理装置とプログラムの実行領域となるＲＡＭ等の揮発性メモリとが設けられている。更に、マイコン２８には、図示しないユーザ操作部と共に、リモコン送信機３２からなされたユーザ操作の信号を受け取るためのリモコン受光部３０が接続されている。
【００４１】
図５は、図４のテレビジョン受像機における調整値設定処理の一例を説明するためのフロー図で、図６は、図５の処理における調整値の設定状態の一例を示す図で、図７は、図５の処理における調整値の設定画面の一例を示す図である。
【００４２】
まず、初期設定が完了しているかのチェックを行う。初期設定とは、テレビジョンの各調整値や設定値が初期値の状態を示す。初期設定がおこなわれていない場合、自動的に検査モードに遷移する。検査モードとは、テレビジョンを生産するときに、作業効率をよくするため、生産専用の特殊リモコンキーが有効となる処理や、テレビジョン受像機２の内部の検査を行うための処理が動作するモードである。初期設定を行うと、起動時にこのモードに遷移することはなくなる。
【００４３】
テレビジョン受像機２は、上述のごとき構成により、まず、自動的な遷移の指示、或いは操作により受光部３０などから受け取った指示が、他の調整モード（以下、調整モードという）であるのかユーザ調整モード（以下、通常モードという）であるのかをマイコン２８が判定することから開始される（ステップＳ２１）。ステップＳ２１で通常モードであった場合、通常モードへ移行する（ステップＳ２２）。
【００４４】
生産ラインでの調整モードであった場合（ステップＳ２１でＹＥＳ）、マイコン２８は、調整モードへ移行して、各項目の調整完了フラグを不揮発性メモリ２７から読み出す（ステップＳ２３）。なお、ステップＳ２３において、生産工程前は全て未調整として不揮発性メモリ２７に設定されているものとする。すなわち、例えば検査モードに遷移後、各自動調整項目の完了フラグを不揮発メモリ２７から読み出す。ここで、完了フラグとは、工場で調整する項目を持つ別の調整モードにおいて、生産時に映像調整を自動で行う処理が成功完了した場合に、不揮発メモリ２７の指定の領域にセットされるフラグである。
【００４５】
初期状態では、完了フラグはセットされていない。この例では、調整項目は複数あり、ＮＴＳＣ映像調整及びコンポーネントＳＤ調整の２つを持っているものとして説明するが、他にも、コンポーネントＨＤ調整やホワイトバランス調整などの調整項目を持っていてもよい。完了フラグを不揮発メモリ２７から読み出し、例えばこの４つの完了フラグの状態を判断する。まず、４つ全てのフラグが完了状態になっている場合、後述の色設定を緑とし、完了フラグ判定処理を終了する。４つのフラグ全てが未完了の状態になっている場合、後述の色設定を赤とし、完了フラグ判定処理を終了する。４つのフラグが全て完了状態、又は全て未完了状態のどちらにも当てはまらない場合、後述の色設定を黄色とし、完了フラグ判定処理を終了する。
【００４６】
すなわち、マイコン２８は、調整完了フラグは全て完了状態であるかを判定し（ステップＳ２４）、ＹＥＳであれば調整工程識別マーク「Ｋ」を緑色表示処理する。この緑色表示処理により、図６（Ａ）の画面Ｉで示すように、文字「Ｋ」４１ａが緑色で表示されることとなる。なお、図面の関係上、実際の色は表示できないので、表示色と図面での表示色は異なる。また、表示処理は、マイコン２８が、求める表示が液晶パネル２６で可能なよう映像処理回路２５を制御することで実行される。このように、完了フラグ判定処理により決定された色設定に従い、テレビジョン受像機２の液晶パネル２６に検査モードであることを示す記号（この例では“Ｋ”）を表示し、且つその表示色を完了フラグ判定処理にて決定された色設定に従い設定する。
【００４７】
同様に、ステップＳ２４でＮＯの場合、調整完了フラグは一部完了状態かを判定し（ステップＳ２５）、ＮＯの場合、ステップＳ２７で調整工程識別マーク「Ｋ」を赤色表示処理（画面ＩＩの文字「Ｋ」４１ｂを参照）する。さらに、ステップＳ２５でＹＥＳの場合、ステップＳ２８で調整工程識別マーク「Ｋ」を黄色表示処理（画面ＩＩＩの文字「Ｋ」４１ｃを参照）する。なお、識別マークは、生産モード中に画面内に常に表示させておき、その表示方法としては。ＯＳＤを使い、映像の上に重なるよう表示させればよい。
【００４８】
リモコン受光部３０にて、調整キーを受信した場合、テレビジョン受像機２は個別の調整モードに遷移する。調整モードでの動作は、工場から出荷する前の映像調整などを行うための処理が動作するモードである。実際には、マイコン２８は、調整者からの指示に自動調整画面の表示指示が有ったか否かを判定する（ステップＳ２９）。
【００４９】
その指示があった場合、マイコン２８は、液晶パネル２６で自動調整画面の表示処理（画面ＩＶを参照）を行うよう映像処理回路２５を制御する（ステップＳ３０）。画面ＩＶには、各調整項目４２が表示されている。調整項目４２として、「ＮＴＳＣ信号調整」，「コンポーネント信号調整」の両方を表示する場合を例として、以下の説明を行う。このように、個別の調整モードに遷移すると、液晶パネル２６には、映像調整をするための調整項目が表示される。例えば、複数行で項目があり、ページ単位で次の項目が表示される。リモコン送信機３２から次ページに移動するキーが送信されリモコン受光部３０で受信すると、マイコン２８は液晶パネル２６に次ページの調整項目を表示させる。
【００５０】
ここで、各自動調整項目とは、調整項目であるＮＴＳＣ映像調整、コンポーネントＳＤ調整、コンポーネントＨＤ調整、ホワイトバランス調整のそれぞれに、自動調整実行の項目が設けられており、リモコン送信機３２から実行キーをリモコン受光部３０で受信することで自動調整が実行される。ここでの自動調整とは、入力された映像信号のレベルばらつきを抑えるために、デコーダ２４内部でのアナログ−デジタル変換処理のゲインを調整する処理を意味している。アナログ−デジタル変換され、デジタル信号レベルを映像処理回路２５からマイコン２８が取得し、目標のデジタル値になるようにアナログ−デジタル変換処理のゲイン調整にフィードバックをする。
【００５１】
ステップＳ３０の後、ＮＴＳＣ自動調整の指示があるか否かをマイコン２８が判定し（ステップＳ３１）、あった場合、ＮＴＳＣ自動調整を実行して、調整画面（画面Ｖの項目４３を参照）を表示する（ステップＳ３２）。この例では、項目４３において輝度レベル及び色差レベルを設定可能となっている。そして、ステップＳ３２が正常終了したか否かを判定し（ステップＳ３３）、正常終了していれば、ＮＴＳＣ自動調整処理に対する調整完了フラグを完了状態に書き換え（ステップ３４）、ステップＳ３０の後に戻る。ステップＳ３４では、自動調整が正常に完了した場合、マイコン２８が不揮発メモリ２７に確保している調整完了フラグエリアを調整完了状態と書き換える。例えば、上述の４つの調整項目それぞれに調整完了フラグを割り当てていて、ぞれぞれの自動調整が正常に完了した時点で、マイコン２８が完了状態に書き換える。ステップＳ３３で、正常終了していなければ、そのままステップＳ３０の後に戻る。なお、調整項目毎に状態を表示する場合には、この例でいうと、ＮＴＳＣ自動調整と、コンポーネント自動調整とに対して、それぞれそのような状態表示を行ってもよいし、ＮＴＳＣ自動調整の中でも輝度レベルと色差レベルのそれぞれに対して状態表示を行ってもよい。
【００５２】
また、ステップＳ３０の後、コンポーネント自動調整の指示があるか否かをマイコン２８が判定し（ステップＳ３５）、あった場合、コンポーネント自動調整を実行して、調整画面（画面ＶＩの項目４４を参照）を表示する（ステップＳ３６）。この例では、項目４４において標準映像信号の輝度レベル及びＣｂ，Ｃｒの各色差レベルを設定可能となっている。そして、ステップＳ３６が正常終了したか否かを判定し（ステップＳ３７）、正常終了していれば、コンポーネント自動調整処理に対する調整完了フラグを完了状態に書き換え（ステップ３８）、ステップＳ３０の後に戻る。一方、正常終了していなければ、そのままステップＳ３０の後に戻る。
【００５３】
また、ステップＳ３０の後、すなわち調整モード中に、リモコン送信機３２から調整モードキーが発信されリモコン受光部３０にて受信した場合、調整モードから検査モードに遷移する。ここでは、調整モードキーの押下があったか否かをマイコン２８が判定し（ステップＳ３９）、あった場合、ステップＳ２４に戻り、なかった場合、ステップＳ３０の後に戻る。
【００５４】
なお、検査モードに遷移すると、各自動調整項目の完了フラグを不揮発メモリ２７から読み出し、完了フラグ判定処理により決定された色設定に従い、テレビジョン受像機２の液晶パネル２６に検査モードであることを示す記号（この例では“Ｋ”）を表示し、且つその表示色を完了フラグ判定処理にて決定された色設定に従い設定する。これにより、生産における調整作業の進捗状況を容易に知ることができる。
【００５５】
さらに、本発明は、上述のごときプログラム、或いはデータを記録したコンピュータ読み取り可能な記録媒体、或いはフロー図と共に説明したような調整値設定方法としての形態も採用できる。このような記録媒体としては、具体的には、ＣＤ−ＲＯＭ、光磁気ディスク、ＤＶＤ−ＲＯＭ、ＦＤ、フラッシュメモリ、及びその他各種ＲＯＭやＲＡＭ等が想定できる。そして、上述のごときプログラムを記録媒体に記録して流通させることにより、本発明に係る機能の実現を容易にする。このプログラムは、例えば、電子機器に、上述のごとくの記録媒体を装着してその電子機器によりプログラムを読み出すか、若しくは電子機器が備えているハードディスク等の記録媒体に当プログラムを記憶させておき、必要に応じて読み出すことにより、本発明に係わる機能を実行することができる。
【図面の簡単な説明】
【００５６】
【図１】本発明の一実施形態に係る電子機器の一構成例を示す図である。
【図２】図１の電子機器における調整値設定処理の一例を説明するためのフロー図である。
【図３】図２の調整値設定処理における調整値の設定を補助するための表示処理の一例を説明するためのフロー図である。
【図４】本発明の一実施形態に係るテレビジョン受像機の一構成例を示す図である。
【図５】図４のテレビジョン受像機における調整値設定処理の一例を説明するためのフロー図である。
【図６】図５の処理における調整値の設定状態の一例を示す図である。
【図７】図５の処理における調整値の設定画面の一例を示す図である。
【符号の説明】
【００５７】
１…電子機器、２…テレビジョン受像機、１１…処理回路、１２…操作部、１３…表示部、１４，１６，２７，２９…不揮発性メモリ、１５，２８…マイコン、１７，３１…バス、２１…チューナ、２２…外部入力端子、２３…セレクタ、２４…デコーダ、２５…映像処理回路、２６…液晶パネル、３０…受光部、３２…リモコン送信機。
【図１】
2006217493.tif 000003
【図２】
2006217493.tif 000004
【図３】
2006217493.tif 000005
【図４】
2006217493.tif 000006
【図５】
2006217493.tif 000007
【図６】
2006217493.tif 000008
【図７】
2006217493.tif 000009